(57)【要約】【課題】顕微鏡や液晶プロジェクタのような狭い領域を照明する装置と好適に組み合わせて用いられ照明光の明るさを増大する。【解決手段】１つの光軸Ｘに沿って互いに向かい合う方向に光Ｌを出力する２つの光源２１，２２と、該２つの光源２１，２２の間に配置され光Ｌの照射により該光Ｌとは異なる波長の光Ｌ’を発生する波長変換素子３と、該波長変換素子３と一方の光源２１との間に配置され、光Ｌを透過させるとともに波長変換素子３において光源２１側に散乱した光Ｌ１’を波長変換素子３の方向に折り返す第１の光学部材４１と、波長変換素子３と他方の光源２２との間に配置され、光Ｌを透過させるとともに、波長変換素子３において光源２２側に散乱した光Ｌ２’および第１の光学部材４１によって折り返されてきた光Ｌ１’を光軸Ｘに交差する方向に偏向する第２の光学部材４２とを備える光源装置１を提供する。【選択図】図１
2014016438.tif 000002
【特許請求の範囲】
【請求項１】
１つの光軸に沿って互いに向かい合う方向に光を出力する２つの光源と、
該２つの光源の間に配置され、これら光源から出力された光が照射されることにより該光とは異なる波長の光を発生する波長変換素子と、
該波長変換素子と一方の前記光源との間に配置され、該一方の光源からの光を透過させるとともに前記波長変換素子において発生した光のうち前記一方の光源側に散乱した光を前記波長変換素子の方向に前記光軸と平行に折り返す第１の光学部材と、
前記波長変換素子と他方の前記光源との間に配置され、該他方の光源からの光を透過させるとともに、前記波長変換素子において発生した光のうち前記他方の光源側に散乱した光および前記第１の光学部材によって折り返されてきた光を前記光軸に交差する方向に偏向する第２の光学部材とを備える光源装置。
【請求項２】
前記波長変換素子が、前記光源から出力された光によって励起される蛍光体または量子ドットを有している請求項１に記載の光源装置。
【請求項３】
前記波長変換素子と前記第１の光学部材との間に配置され、前記波長変換素子から前記一方の光源側に散乱した光を平行光にする第１のコリメート光学系と、
前記波長変換素子と前記第２の光学部材との間に配置され、前記波長変換素子から前記第２の光源側に散乱した光を平行光にする第２のコリメート光学系とを備える前請求項１または請求項２に記載の光源装置。
【請求項４】
前記第１のコリメート光学系および第２のコリメート光学系のうち少なくとも一方が、コリメートレンズまたはロッドインテグレータを備える請求項３に記載の光源装置。
【請求項５】
前記波長変換素子、前記第１のコリメート光学系および第２のコリメート光学系が、前記光軸上に直列に複数組備えられ、
各組の前記波長変換素子が、互いに異なる色の光を発生する請求項３または請求項４に記載の光源装置。
【請求項６】
前記第２の光学部材の該第２の光学部材による光の偏向方向とは反対側に配置され、前記第２の光学部材によって偏向される光と同一の光軸に沿って光を出力するもう１つの光源を備え、
前記第２の光学部材が、前記もう１つの光源から出力された光も透過させる請求項１から請求項５のいずれかに記載の光源装置。
【請求項７】
前記光軸に沿う方向にまたは前記光軸に交差する方向に配列されて前記光源からの光が共に照射されるとともに、互いに異なる色の光を発生する複数の前記波長変換素子を備える請求項１から請求項６のいずれかに記載の光源装置。
【請求項８】
前記２つの光源、波長変換素子、第１の光学部材および第２の光学部材が、該第２の光学部材によって偏向された光の光軸を共通として並列に複数組備えられている請求項１から請求項７のいずれかに記載の光源装置。
【発明の詳細な説明】
【技術分野】
【０００１】
本発明は、光源装置に関するものである。
【背景技術】
【０００２】
従来、液晶プロジェクタなどの光源として半導体光源が用いられている（例えば、特許文献１参照。）。特許文献１では、単一の半導体光源から出力された励起光を３種類の蛍光体に照射して赤色、緑色および青色の蛍光を生成し、これら３色の蛍光を用いて映像の色を再現している。
【先行技術文献】
【特許文献】
【０００３】
【特許文献１】特開２０１２−１３８９７号公報
【発明の概要】
【発明が解決しようとする課題】
【０００４】
顕微鏡や液晶プロジェクタなどの用途では、光源からの照明光は比較的狭い領域に照射される。特許文献１の装置をこのような用途に適用して狭い領域を照明した場合、Ｅｔｅｎｄｕｅの法則に基づけば、当該狭い領域における照明光の明るさを向上することができないという問題がある。
【０００５】
すなわち、光学系のある位置における光束の断面積と光束の立体角との積によって表わされるＥｔｅｎｄｕｅは、光源から照射位置まで保存される。特許文献１においては、照明光の明るさを向上するために光源を複数並べることが考えられる。その場合、光源全体としての発光面積が大きくなり、光源側のＥｔｅｎｄｕｅが大きくなる。その結果、光源全体の発光面積が増加することにより光源の光量は増加するが、光源側のＥｔｅｎｄｕｅも増加して導光効率が低下する。つまり、光源から発せられた全ての光を照射位置において狭い照明領域に効率良く導光することができず、一部は蹴られて照明領域の明るさの向上に寄与しないこととなる。
【０００６】
本発明は、上述した事情に鑑みてなされたものであって、顕微鏡や液晶プロジェクタのような狭い領域を照明する装置と好適に組み合わせて用いられ照明光の明るさを増大することができる光源装置を提供することを目的とする。
【課題を解決するための手段】
【０００７】
上記目的を達成するため、本発明は以下の手段を提供する。
本発明は、１つの光軸に沿って互いに向かい合う方向に光を出力する２つの光源と、該２つの光源の間に配置され、これら光源から出力された光が照射されることにより該光とは異なる波長の光を発生する波長変換素子と、該波長変換素子と一方の前記光源との間に配置され、該一方の光源からの光を透過させるとともに前記波長変換素子において発生した光のうち前記一方の光源側に散乱した光を前記波長変換素子の方向に前記光軸と平行に折り返す第１の光学部材と、前記波長変換素子と他方の前記光源との間に配置され、該他方の光源からの光を透過させるとともに、前記波長変換素子において発生した光のうち前記他方の光源側に散乱した光および前記第１の光学部材によって折り返されてきた光を前記光軸に交差する方向に偏向する第２の光学部材とを備える光源装置を提供する。
【０００８】
本発明によれば、２つの光源から出力された光は、波長変換素子において異なる色の光に変換され、一方の光源側に散乱した一部の光は第１の光学部材によって第２の光学部材の方向へと偏向され、他方の光源側に散乱した他の部分の光と重ね合わされる。そして、波長変換素子において発生した光の全体が、第２の光学部材から照明光として出力される。
【０００９】
この場合に、２つの光源からの光により波長変換素子において発生した光の全体の光量は、単一の光源を用いたときのそれと比べて略２倍となる。この発生した光の集光効率は互いに独立した光学系を構成する個々の光源のＥｔｅｎｄｕｅによって制限されるので、発生した光全体が十分に狭い領域に集光されることができる。これにより、顕微鏡や液晶プロジェクタのような狭い領域を照明する装置と組み合わせて用いた場合に狭い照明領域における照明光の明るさを増大することができる。
【００１０】
上記発明においては、前記波長変換素子が、前記光源から出力された光によって励起される蛍光体または量子ドットを有していてもよい。
このようにすることで、波長変換素子の構成を簡素にすることができる。
【００１１】
また、上記発明においては、前記波長変換素子と前記第１の光学部材との間に配置され、前記波長変換素子から前記一方の光源側に散乱した光を平行光にする第１のコリメート光学系と、前記波長変換素子と前記第２の光学部材との間に配置され、前記波長変換素子から前記第２の光源側に散乱した光を平行光にする第２のコリメート光学系とを備えていてもよい。
このようにすることで、波長変換素子において発生して各方向に散乱した光を、第１のコリメート光学系および第２のコリメート光学系によって平行光にして出力することができる。
【００１２】
また、上記発明においては、前記第１のコリメート光学系および第２のコリメート光学系うち少なくとも一方が、コリメートレンズまたはロッドインテグレータを備えていてもよい。
このようにすることで、簡素なレンズ構成によって波長変換素子からの散乱光を平行光とすることができる。
【００１３】
また、上記発明においては、前記波長変換素子、前記第１のコリメート光学系および第２のコリメート光学系が、前記光軸上に直列に複数組備えられ、各組の前記波長変換素子が、互いに異なる色の光を発生してもよい。
このようにすることで、共通の光源を用いて複数の波長変換素子から複数の色の光を同時に発生させることができる。また、複数の色の像が時間差で表示されることにより残像として観察者に認識されるカラーブレイクアップが発生することがない。
【００１４】
また、上記発明においては、前記第２の光学部材の該第２の光学部材による光の偏向方向とは反対側に配置され、前記第２の光学部材によって偏向される光と同一の光軸に沿って光を出力するもう１つの光源を備え、前記第２の光学部材が、前記もう１つの光源から出力された光も透過させてもよい。
このようにすることで、波長変換素子により発生される光に、もう１つの光源から出力された光を重ね合わせて出力することにより、照明光の明るさをさらに増大することができる。
【００１５】
また、上記発明においては、前記光軸に沿う方向にまたは前記光軸に交差する方向に配列されて前記光源からの光が共に照射されるとともに、互いに異なる色の光を発生する複数の前記波長変換素子を備えていてもよい。
このようにすることで、共通の光源を用いて複数の波長変換素子から複数の色の光を同時に発生させることができる。また、複数の色の像が時間差で表示されることにより残像として観察者に認識されるカラーブレイクアップが発生することがない。
【００１６】
また、上記発明においては、前記２つの光源、波長変換素子、第１の光学部材および第２の光学部材が、該第２の光学部材によって偏向された光の光軸を共通として並列に複数組備えられていてもよい。
このようにすることで、各組において生成された光が第２の光学部材によって偏向されて重ね合わせられた状態で出力される。これにより、複数の色の光を含む照明光を生成することができるとともに、光源の数の増加分だけ照明光の明るさをさらに増大することができる。
【発明の効果】
【００１７】
本発明によれば、顕微鏡や液晶プロジェクタのような狭い領域を照明する装置と好適に組み合わせて用いられ照明光の明るさを増大することができるという効果を奏する。
【図面の簡単な説明】
【００１８】
【図１】本発明の一実施形態に係る光源装置の全体構成図である。
【図２】図１の光源装置の変形例を示す全体構成図である。
【図３】図１の光源装置が備える波長変換素子の変形例を示す図である。
【図４】図１の光源装置が備える波長変換素子のもう１つの変形例を示す図である。
【図５】図１の光源装置のもう１つの変形例を示す全体構成図である。
【図６】図１の光源装置のもう１つの変形例を示す全体構成図である。
【発明を実施するための形態】
【００１９】
以下に、本発明の一実施形態に係る光源装置１について図面を参照して説明する。
本実施形態に係る光源装置１は、図１に示されるように、１つの光軸Ｘに沿って互いに向かい合う方向にビーム光を出力する２つの光源２１，２２と、これら光源２１，２２の間に配置されビーム光が照射されることにより発光する波長変換素子３と、該波長変換素子３と第１の光源２１および第２の光源２２との間にそれぞれ配置されたダイクロイックミラー４１，４２およびコリメート光学系５１，５２とを備えている。
【００２０】
第１の光源２１および第２の光源２２は、指向性の高い単色のビーム光を出力する半導体光源やレーザダイオード（ＬＤ）などであり、同一の特性を有するビーム光を出力する。本実施形態においては、単色のビーム光として、４５０ｎｍの波長を有する青色のレーザ光Ｌを想定している。各光源２１，２２は、レーザ光Ｌを互いに平行に出力する複数（例えば、２個×２個または３個×３個）の半導体光源やＬＤがアレイ状に配置されて構成されていてもよい。
【００２１】
波長変換素子３は、光源２１，２２からのレーザ光Ｌ（単色光）が照射されることにより発光する素子であり、例えば、レーザ光Ｌによって励起される蛍光体または量子ドットを保持している。本実施形態においては、波長変換素子３として、レーザ光Ｌの波長４５０ｎｍを励起波長帯域に含むとともに５５０ｎｍのピーク波長を有する蛍光Ｌ’を発生する蛍光体を想定している。
【００２２】
両側からレーザ光Ｌが照射されることにより波長変換素子３において発生した蛍光Ｌ’は、各レーザ光Ｌの進行方向前方および進行方向後方に散乱する。そして、レーザ光Ｌによって発生された蛍光Ｌ’のうち、第１の光源２１側に散乱した一部の蛍光Ｌ１’は第１のコリメート光学系５１へ入射し、第２の光源２２側に散乱した他の部分の蛍光Ｌ２’は、第２のコリメート光学系５２へ入射する。
【００２３】
第１の光源２１と波長変換素子３との間に配置された第１のダイクロイックミラー４１は、光軸Ｘに対して垂直に配置されている。第１のダイクロイックミラー４１は、光源２１から入射してきたレーザ光Ｌを光軸Ｘに沿って透過させ、波長変換素子３から散乱されてきた一部の蛍光Ｌ１’を光軸Ｘに沿って反射する。
【００２４】
第２の光源２２と波長変換素子３との間に配置された第２のダイクロイックミラー４２は、光軸Ｘに対して４５°傾斜して配置されている。第２のダイクロイックミラー４２は、第２の光源２２から入射してきたレーザ光Ｌを光軸Ｘに沿って透過させ、波長変換素子３から反射されてきた他の部分の蛍光Ｌ２’および第１のダイクロイックミラー４１によって折り返されて波長変換素子３を通過してきた一部の蛍光Ｌ１’を光軸Ｘと垂直な方向に反射する。
【００２５】
本実施形態においては、第１のダイクロイックミラー４１および第２のダイクロイックミラー４２として、５００ｎｍ以下の波長の光を透過させ、５００ｎｍよりも長い波長の光を反射する特性を有するものを想定している。
【００２６】
第１のコリメート光学系（第１の光学部材）５１は、例えば、凸面を第１の光源２１側に向けて配置された平凸レンズ（コリメートレンズ）からなる。第１のコリメート光学系５１は、波長変換素子３から入射してきた蛍光Ｌ１’を平行化してダイクロイックミラー４１へ出射するとともに、ダイクロイックミラー４１によって反射されて戻ってきた蛍光Ｌ１’を波長変換素子３に集光する。
【００２７】
第２のコリメート光学系（第２の光学部材）５２は、例えば、凸面を第２の光源２２側に向けて配置された平凸レンズ（コリメートレンズ）からなる。第２のコリメート光学系５２は、波長変換素子３から入射してきた蛍光Ｌ１’，Ｌ２’を平行化し、光軸Ｘに沿って出射する。
なお、第１のコリメート光学系５１および第２のコリメート光学系５２は、複数のレンズの組み合わせから構成されていてもよい。また、平凸レンズに代えて、ロッドインテグレータを採用してもよい。
【００２８】
次に、このように構成された光源装置１の作用について説明する。
本実施形態に係る光源装置１によれば、２つの光源２１，２２から出力された青色のレーザ光Ｌが、１つの光軸Ｘに沿ってダイクロイックミラー４１，４２を透過して波長変換素子３に入射することにより、該波長変換素子３において緑色の蛍光Ｌ’が発生する。発生した蛍光Ｌ’のうち、第２の光源２２側に散乱した蛍光Ｌ２’は、第２のコリメート光学系５２によって平行光とされてから光軸Ｘに垂直な方向に偏向されて光源装置１の外部へと出力される。
【００２９】
一方、第１の光源２１側に散乱した蛍光Ｌ１’は、第１のコリメート光学系５１によって平行光とされてからダイクロイックミラー４１によって折り返され、第１のコリメート光学系５１によって波長変換素子３に集光される。ここで、波長変換素子３の発光波長帯域と励起波長帯域との重なりは少ないか或いは全くないので、波長変換素子３に集光された蛍光Ｌ１’は、蛍光体を励起させてエネルギー損失を生じさせることは殆どなく、波長変換素子３を透過する。そして、波長変換素子３を透過した蛍光Ｌ１’は、第２の光源２２側に散乱した蛍光Ｌ２’と同様に第２のコリメート光学系５２によって平行光とされてから光軸Ｘに垂直な方向に偏向されて光源装置１の外部へと出力される。これにより、波長変換素子３において発生した蛍光Ｌ’全体が最終的な照明光として光源装置１から出力される。
【００３０】
光源装置１から出力された照明光は、例えば、顕微鏡やプロジェクタの照明光として用いられる。すなわち、照明光は、顕微鏡の観察試料や液晶プロジェクタが備える液晶パネルなどの照明対象物の狭い領域に集光して照射される。
【００３１】
この場合に、本実施形態によれば、２つの光源２１，２２からのレーザ光Ｌを用いて波長変換素子３から蛍光Ｌ’を発生させているので、波長変換素子３における蛍光Ｌ’の発生量は単一の光源２１／２２を用いたときのそれの略２倍となる。ここで、各光源２１，２２は、他の光学素子３，４１，４２，５１，５２を共有しつつ、互いに独立した光学系を構成しているので、各光源２１，２２の光源側のＥｔｅｎｄｕｅは、光源２１，２２が単独で配置されたと仮定したときのＥｔｅｎｄｕｅと同一である。したがって、各光源２１，２２から出力された各レーザ光Ｌに起因する蛍光Ｌ’は、各光源２１，２２のＥｔｅｎｄｕｅによって制限される十分に狭い領域に集光されることができる。
【００３２】
これにより、照明光の全光束を狭い領域に十分に高い効率で集光することができ、当該狭い領域を照射する照明光の明るさを単一の光源２１／２２を用いたときのそれと比べて略２倍にまで増大することができるという利点がある。
【００３３】
なお、本実施形態においては、２系統の光源２１，２２を備えることとしたが、光源の系統数は２以上であればよい。図２は、３系統の光源２１，２２，２３を備えた変形例に係る光源装置１００の構成を示している。第３の光源２３は、第２のダイクロイックミラー４２に対して該第２のダイクロイックミラー４２による蛍光Ｌ’の偏向方向とは反対側に配置されている。第３の光源２３は、ＬＥＤとコリメート光学系からなり、第２のダイクロイックミラー４２に４５°の角度で光Ｌを入射する。
【００３４】
このようにすることで、光源装置１００からは、波長変換素子３において発生した緑色の蛍光Ｌ’と、第３の光源２３からの光Ｌとが混合された光が照明光として出力される。この場合にも、第１の光源２１および第２の光源２２とは別系統の第３の光源２３からの光Ｌが蛍光Ｌ’に足し合わされるが、第２のダイクロイックミラー４２によって波動光学的に重畳されているので、照射対象物側のＥｔｅｎｄｕｅは小さくて済む。したがって、光源装置１００から出力された照明光Ｌ’＋Ｌの全光束を十分に高い効率で狭い領域に集光して明るさを増大することができる。
【００３５】
また、特開２０１２−１３８９７号公報に記載の回転型のカラーホイールのように、機械的に素子を駆動することによって複数の色の光を時間差で生成する構成の場合、各色の像が残像として観察者に認識されるカラーブレイクアップが生じる。これに対して、光源装置１００によれば、機械的な駆動機構が不要であるので、カラーブレイクアップを生じることなく、複数の色の光Ｌ’＋Ｌを同時に発生することができる。
【００３６】
また、本実施形態においては、単一の波長変換素子３を用いて単色の蛍光Ｌ’を生成することとしたが、これに代えて、複数の波長変換素子３ａ，３ｂを用いて複数の色の光を生成することとしてもよい。
【００３７】
図３に示される変形例においては、光軸Ｘに沿う方向に配列された２つの波長変換素子３ａ，３ｂが備えられている。第１の光源２１側に配置された第１の波長変換素子３ａは、上述した波長変換素子３と同じく緑色の蛍光Ｌ’を発生する。第２の波長変換素子３ｂは、レーザ光Ｌの波長４５０ｎｍを励起波長帯域に含むとともに第１の波長変換素子３ａが発生する蛍光Ｌ’よりも長い波長、例えば、６５０ｎｍのピーク波長を有する蛍光を発生する蛍光体を保持している。
【００３８】
ダイクロイックミラー４１，４２を透過してきた青色のレーザ光Ｌが第１の波長変換素子３ａおよび第２の波長変換素子３ｂに入射すると、第１の波長変換素子３ａにおいて緑色の蛍光Ｌ’が発生し、第２の波長変換素子３ｂにおいて赤色の蛍光が発生する。これら緑色の蛍光Ｌ’と赤色の蛍光のうち、第２の光源２２側に散乱した蛍光は第２のコリメート光学系５２へ入射する。一方、緑色の蛍光Ｌ’と赤色の蛍光のうち第１の光源２１側に散乱した蛍光は、ダイクロイックミラー４１で折り返されてから、第１のコリメート光学系５１、第１の波長変換素子３ａおよび第２の波長変換素子３ｂを通過してから第２のコリメート光学系５２へ入射する。
【００３９】
ここで、波長変換素子３ａ，３ｂの各発光波長帯域と波長変換素子３ａ，３ｂの各励起波長帯域との重なりは少ないか或いは全くないので、蛍光のうち第１の光源２１側に散乱した蛍光は、蛍光体を励起させてエネルギー損失を生じさせることは殆どなく、波長変換素子３ａ，３ｂを透過する。そして、第１の波長変換素子３１および第２の波長変換素子３２において発生した蛍光全体が第２のコリメート光学系５２から照明光として出力される。
【００４０】
このようにしても、図２の光源装置１００と同様に、カラーブレイクアップを生じることなく、複数の色の光を同時に生成することができる。
【００４１】
２つの波長変換素子３ａ，３ｂは、図４に示されるように、光軸Ｘに交差する方向に配列されていてもよい。この場合、レーザ光Ｌが両方の波長変換素子３ａ，３ｂに照射されるように、２つの波長変換素子３ａ，３ｂ同士の隣接面が略光軸Ｘ上に配置される。このようにしても、図３の波長変換素子３ａ，３ｂと同様に、青色のレーザ光Ｌから緑色の蛍光Ｌ’と赤色の蛍光とを同時に生成することができる。
【００４２】
また、本実施形態においては、図５に示される変形例に係る光源装置２００のように、複数組の波長変換素子およびコリメート光学系が直列に備えられていてもよい。この変形例に係る光源装置２００では、第１のダイクロイックミラー４１と第２のダイクロイックミラー４２との間の光軸Ｘ上に、複数組（図示する例では２組）の波長変換素子３，３’およびコリメート光学系５１，５２，５１’，５２’が、直列に備えられている。
【００４３】
この場合、後段の組の波長変換素子３’は、図２の波長変換素子３ｂと同様に、前段の組の波長変換素子３が発生する蛍光Ｌ’よりも長い波長（例えば、６５０ｎｍのピーク波長）を有する蛍光を発生する。すなわち、複数の波長変換素子３，３’は、光軸Ｘ上で光源２１から離れた位置に配置されるほど、つまり後段側に配置されるほど、発光する光の波長帯域が長波長である蛍光体を保持するように構成されている。前段の組と後段の組との間には、レーザ光Ｌおよび前段の組の波長変換素子３が発生した蛍光Ｌ’を透過させ、後段の組の波長変換素子３’が発生した蛍光を反射するダイクロイックミラー４３が備えられている。このようにして、光源装置２００は、前段の組の波長変換素子３を通過したレーザ光Ｌが後段の組の波長変換素子３’を励起して発光させるように構成されている。
【００４４】
この変形例に係る光源装置２００においては、図２に示されるような第３の光源２３が備えられていてもよく、また、各組の波長変換素子３，３’として、図３および図４に示されるような複数の波長変換素子３ａ，３ｂが採用されてもよい。
このようにしても、カラーブレイクアップを生じることなく、複数の色の光を生成することができる。
【００４５】
また、本実施形態においては、光源２１，２２、波長変換素子３、ダイクロイックミラー４１，４２およびコリメート光学系５１，２５が１組備えられていることとしたが、これに代えて、図６に示されるように、ダイクロイックミラー４２１〜４２４によって偏向された光の光軸Ｘ’を共通として並列に複数組（図示する例では４組）備えられていてもよい。
【００４６】
この変形例に係る光源装置３００において、各組の光源２１１〜２１４，２２１〜２２４は、上述した光源２１，２２と同じく青色のレーザ光Ｌを出力する。波長変換素子３１〜３４は、互いに異なる色（例えば、水色、緑色、黄色、赤色）の光を発生する。各ダイクロイックミラー４１１〜４１４，４２１〜４２４の波長特性は適宜設定される。
【００４７】
このようにすることで、４色の光を含む照明光を生成することができる。また、各光源２１１〜２１４，２２１〜２２４は互いに独立した光学系を構成しているので、照明光の光束全体を個々の光源２１１〜２１４，２２１〜２２４のＥｔｅｎｄｕｅによって制限される十分に狭い領域に集光することができ、当該狭い領域を照射する照明光の明るさを単一の光源を用いたときのそれと比べて略８倍にまで増大することができる。
【００４８】
また、本実施形態においては、波長変換素子３が保持する発光体の例として、蛍光体および量子ドットを挙げたが、波長変換素子３の例はこれに限定されるものではない。
また、本実施形態においては、光源装置がコリメート光学系を備えることとしていたが、光源装置の構成はこれに限定されるものではなく、コリメート光学系を備えない構成としてもよい。
【符号の説明】
【００４９】
１，１００，２００，３００  光源装置
２１，２２，２３，２１１〜２１４，２２１〜２２４  光源
３，３’，３ａ，３ｂ，３１〜３４  波長変換素子
４１，４１１〜４１４  第１のダイクロイックミラー（第１の光学部材）
４２，４２１〜４２４  第２のダイクロイックミラー（第２の光学部材）
５１，５１１〜５１４  第１のコリメート光学系
５２，５２１〜５２４  第２のコリメート光学系
Ｌ  レーザ光（光）
Ｌ’  蛍光
Ｘ  光軸
【図１】
2014016438.tif 000003
【図２】
2014016438.tif 000004
【図３】
2014016438.tif 000005
【図４】
2014016438.tif 000006
【図５】
2014016438.tif 000007
【図６】
2014016438.tif 000008